(57)【要約】【課題】インクカートリッジが蓋体に衝突したときに、蓋体が開いてしまうことがないインクカートリッジホルダーを提案すること。【解決手段】インクカートリッジホルダー２０は、開口部８を介して挿入されるインクカートリッジ２１を収容する収容部２２と、開口部８を塞ぐ閉位置９Ａと開口部８を解放状態とする開位置９Ｂとの間を予め定めた回転軸Ｌ回りに回転可能な蓋体９と、蓋体９に設けられた突起５１と、を有し、突起５１は、蓋体９が閉位置９Ａに配置されているときに、インクカートリッジ２１の挿入方向Ｉの後方で収容部２２に収容されたインクカートリッジ２１と対向し、蓋体９が閉位置９Ａに配置されているときに収容部２２に収容されたインクカートリッジ２１が挿入方向Ｉの後方に移動して突起５１に衝突すると、蓋体９に回転軸Ｌ回りを開位置９Ｂから閉位置９Ａに向かう閉方向ＣのモーメントＭが働く。【選択図】図６
2017196827.tif 000002
【特許請求の範囲】
【請求項１】
インクカートリッジを着脱可能に収容するインクカートリッジホルダーにおいて、
開口部を備え、前記開口部を介して挿入される前記インクカートリッジを収容する収容部と、
前記収容部の外側に配置され、前記開口部を塞ぐ閉位置と当該開口部を解放状態とする開位置との間を予め定めた回転軸回りに回転可能な蓋体と、
前記蓋体に設けられた突起と、を有し、
前記突起は、前記蓋体が前記閉位置に配置されているときに、前記インクカートリッジの挿入方向の後方で前記収容部に収容された当該インクカートリッジと対向し、
前記蓋体が前記閉位置に配置されているときに前記収容部に収容された前記インクカートリッジが前記挿入方向の後方に移動して前記突起に衝突すると、前記蓋体に前記回転軸回りを前記開位置から前記閉位置に向かう閉方向のモーメントが働くことを特徴とするインクカートリッジホルダー。
【請求項２】
請求項１において、
前記回転軸は、前記挿入方向で前記開口部よりも前方に位置して当該挿入方向と直交する方向に延びており、
前記突起は、前記回転軸の軸線から前記挿入方向を後方に延びる仮想面に対して前記閉方向の後方に位置することを特徴とするインクカートリッジホルダー。
【請求項３】
請求項２において、
前記蓋体が前記開位置に配置された状態を前記挿入方向から見た場合に、前記突起は前記開口部と重ならない位置にあることを特徴とするインクカートリッジホルダー。
【請求項４】
請求項２または３において、
前記挿入方向を水平方向に向けたときに、
前記回転軸は、前記開口部の上下方向の中心位置よりも下方で前記挿入方向と直交する水平方向に延びており、
前記閉方向は、前記蓋体が下方から上方に回転する方向であり、
前記突起は、前記蓋体が閉位置に位置したときに前記回転軸の軸線よりも下方に位置することを特徴とするインクカートリッジホルダー。
【請求項５】
請求項１において、
前記収容部は、複数の前記インクカートリッジを着脱可能に収容し、
前記突起として、複数の前記インクカートリッジに対応する数の前記突起を備え、
各突起は、前記蓋体が前記閉位置に配置されたときに、各インクカートリッジの挿入方向の後方で前記収容部に収容された各インクカートリッジと対向し、
前記蓋体が前記閉位置に配置されているときに前記収容部に収容された前記複数のインクカートリッジのうちのいずれか一つの前記インクカートリッジが前記挿入方向の後方に移動して前記突起に衝突すると、前記蓋体に前記回転軸回りを前記開位置から前記閉位置に向かう閉方向のモーメントが働くことを特徴とするインクカートリッジホルダー。
【請求項６】
インクジェットヘッドと、
インクを収容したインクカートリッジを着脱可能に収容するインクカートリッジホルダーと、
前記インクカートリッジホルダーに装着された前記インクカートリッジと前記インクジェットヘッドとを接続するインク流路と、を有し、
前記インクカートリッジホルダーは、開口部を備え、前記開口部を介して挿入される前記インクカートリッジを収容する収容部と、前記収容部の外側に配置され、前記開口部を塞ぐ閉位置と当該開口部を解放状態とする開位置との間を予め定めた回転軸回りに回転可能な蓋体と、前記蓋体に設けられた突起と、備え、
前記突起は、前記蓋体が前記閉位置に配置されているときに、前記インクカートリッジの挿入方向の後方で前記収容部に収容された当該インクカートリッジと対向し、
前記蓋体が前記閉位置に配置されているときに前記収容部に収容された前記インクカートリッジが前記挿入方向の後方に移動して前記突起に衝突すると、前記蓋体に前記回転軸回りを前記開位置から前記閉位置に向かう閉方向のモーメントが働くことを特徴とするインクジェット記録装置。
【発明の詳細な説明】
【技術分野】
【０００１】
本発明は、インクカートリッジが着脱可能に収容されるインクカートリッジホルダー、および、インクカートリッジホルダーを備えるインクジェット記録装置に関する。
【背景技術】
【０００２】
インクカートリッジからインクジェットヘッドにインクを供給して印刷を行うインクジェット記録装置は特許文献１に記載されている。特許文献１のインクジェット記録装置は、インクカートリッジを着脱可能に収容するインクカートリッジホルダーを備える。インクカートリッジホルダーは、開口部を介して挿入されるインクカートリッジを収容する収容部と、開口部を開閉する蓋体を備える。収容部内にはインク導入針が設けられている。インク導入針はインクジェットヘッドに連通するインク流路の上流端である。
【０００３】
インクカートリッジを挿入時する際には、開口部を塞ぐ閉位置に配置された蓋体を、開口部を解放状態とする開位置に移動させる。その後、開口部を介してインクカートリッジを収容部に挿入して、収容部内に収容する。しかる後に、開位置にある蓋体を閉位置に戻す。ここで、インクカートリッジが収容部に収容されると、インク導入針がインクカートリジに挿入され、インクカートリッジとインクジェットヘッドとがインク流路を介して連通する。これにより、インクカートリッジ内のインクがインクジェットヘッドに供給可能となる。
【先行技術文献】
【特許文献】
【０００４】
【特許文献１】特開２０１６−１３６６３号公報
【発明の概要】
【発明が解決しようとする課題】
【０００５】
収容部にインクカートリッジを収容した状態でインクジェット記録装置を輸送しているときに振動や衝撃が加わると、稀に、インクカートリッジが収容部内を挿入方向とは反対の方向に移動して、閉位置にある蓋体に衝突することがある。ここで、インクカートリッジの衝突によって蓋体が開位置に移動すると、インクカートリッジが開口部から外側に飛び出してしまうという問題がある。
【０００６】
本発明の課題は、このような点に鑑みて、インクカートリッジが収容部内を移動して収容部の開口部を塞いでいる蓋体に衝突したときに、蓋体が開いてしまうことがないインクカートリッジホルダーを提案することにある。また、このようなインクカートリッジホルダーにインクカートリッジを着脱可能に収容するインクジェット記録装置を提供することにある。
【課題を解決するための手段】
【０００７】
上記の課題を解決するために、本発明は、インクカートリッジを着脱可能に収容するインクカートリッジホルダーにおいて、開口部を備え、前記開口部を介して挿入される前記インクカートリッジを収容する収容部と、前記収容部の外側に配置され、前記開口部を塞ぐ閉位置と当該開口部を解放状態とする開位置との間を予め定めた回転軸回りに回転可能な蓋体と、前記蓋体に設けられた突起と、を有し、前記突起は、前記蓋体が前記閉位置に配置されているときに、前記インクカートリッジの挿入方向の後方で前記収容部に収容された当該インクカートリッジと対向し、前記蓋体が前記閉位置に配置されているときに前記収容部に収容された前記インクカートリッジが前記挿入方向の後方に移動して前記突起に衝突すると、前記蓋体に前記回転軸回りを前記開位置から前記閉位置に向かう閉方向のモーメントが働くことを特徴とする。
【０００８】
本発明によれば、インクカートリッジが収容部内を挿入方向の後方に移動すると、インクカートリッジは蓋体の突起に衝突する。ここで、インクカートリッジが突起に衝突すると、蓋体には、その回転軸回りを開位置から閉位置に向かう閉方向のモーメントが働く。従って、インクカートリッジが蓋体（突起）に衝突したときに、蓋体が開位置に移動して、開口部が解放状態となることを防止できる。
【０００９】
本発明において、インクカートリッジが突起に衝突したときに蓋体に閉方向のモーメントが働くようにするためには、前記回転軸は、前記挿入方向で前記開口部よりも前方に位置して当該挿入方向と直交する方向に延びており、前記突起は、前記回転軸の軸線から前記挿入方向を後方に延びる仮想面に対して前記閉方向の後方に位置することが望ましい。
【００１０】
本発明において、前記蓋体が前記開位置に配置された状態を前記挿入方向から見た場合に、前記突起は前記開口部と重ならない位置にあることが望ましい。このようにすれば、収容部に対してインクカートリッジを着脱する際に、突起とインクカートリッジとが干渉することを防止できる。
【００１１】
本発明において、前記挿入方向を水平方向に向けたときに、前記回転軸は、前記開口部の上下方向の中心位置よりも下方で前記挿入方向と直交する水平方向に延びており、前記閉方向は、前記蓋体が下方から上方に回転する方向であり、前記突起は、前記蓋体が閉位置に位置したときに前記回転軸の軸線よりも下方に位置するものとすることができる。このようにすれば、閉位置において起立した姿勢で開口部を塞ぐ蓋体を、挿入方向とは反対側に向かって下方に回転させることにより、開位置に移動させることができる。また、閉位置にある蓋体の突起にインクカートリッジが衝突したときに、蓋体を上方に向かって挿入方向に回転させる閉方向のモーメントが働くので、蓋体が開くことがない。
【００１２】
本発明において、前記収容部は、複数の前記インクカートリッジを着脱可能に収容し、前記突起として、複数の前記インクカートリッジに対応する数の前記突起を備え、各突起は、前記蓋体が前記閉位置に配置されたときに、各インクカートリッジの挿入方向の後方で前記収容部に収容された各インクカートリッジと対向し、前記蓋体が前記閉位置に配置されているときに前記収容部に収容された前記複数のインクカートリッジのうちのいずれか一つの前記インクカートリッジが前記挿入方向の後方に移動して前記突起に衝突すると、前記蓋体に前記回転軸回りを前記開位置から前記閉位置に向かう閉方向のモーメントが働くことを特徴とする。このようにすれば、収容部に複数のインクカートリッジが装着されて蓋体が閉じられたときに、一つのインクカートリッジが収容部内を移動して蓋体の突起に衝突した場合でも、蓋体には閉方向のモーメントが働く。従って、インクカートリッジの移動によって蓋体が開くことがない。
【００１３】
次に、本発明のインクジェット記録装置は、インクジェットヘッドと、インクを収容したインクカートリッジを着脱可能に収容するインクカートリッジホルダーと、前記インクカートリッジホルダーに装着された前記インクカートリッジと前記インクジェットヘッドとを接続するインク流路と、を有し、前記インクカートリッジホルダーは、開口部を備え、前記開口部を介して挿入される前記インクカートリッジを収容する収容部と、前記収容部の外側に配置され、前記開口部を塞ぐ閉位置と当該開口部を解放状態とする開位置との間を予め定めた回転軸回りに回転可能な蓋体と、前記蓋体に設けられた突起と、備え、前記突起は、前記蓋体が前記閉位置に配置されているときに、前記インクカートリッジの挿入方向の後方で前記収容部に収容された当該インクカートリッジと対向し、前記蓋体が前記閉位置に配置されているときに前記収容部に収容された前記インクカートリッジが前記挿入方向の後方に移動して前記突起に衝突すると、前記蓋体に前記回転軸回りを前記開位置から前記閉位置に向かう閉方向のモーメントが働くことを特徴とする。
【００１４】
本発明によれば、インクジェット記録装置の輸送時などにインクカートリッジホルダーに収容されたインクカートリッジが収容部内を挿入方向の後方に移動した場合には、インクカートリッジは、挿入方向の後方に位置する蓋体の突起に衝突する。ここで、インクカートリッジが突起に衝突すると、蓋体には、その回転軸回りを開位置から閉位置に向かう閉方向のモーメントが働く。従って、インクカートリッジが蓋体（突起）に衝突したときに、蓋体が開位置に移動して、開口部が解放状態となることを防止できる。よって、インクカートリッジホルダーの収容部にインクカートリッジを収容した状態でインクジェット記録装置を輸送しているときに振動や衝撃が加わった場合でも、インクカートリッジがインクカートリッジホルダーから脱落することがない。
【図面の簡単な説明】
【００１５】
【図１】本発明を適用したプリンターの概略構成図である。
【図２】蓋体が閉位置にあるインクカートリッジホルダーの断面図である。
【図３】インクカートリッジの斜視図である。
【図４】蓋体が開位置にあるインクカートリッジホルダーの断面図である。
【図５】インクカートリッジの前端部分と蓋体の斜視図である。
【図６】インクカートリッジと蓋体の衝突時の断面図である。
【発明を実施するための形態】
【００１６】
以下に、図面を参照して、本発明の実施の形態であるプリンターを説明する。
【００１７】
（全体構成）
図１は本発明を適用したプリンターの概略構成図である。図２は蓋体が閉位置にある状態のインクカートリッジホルダーの説明図である。図３はインクカートリッジの斜視図である。図４は蓋体が開位置にある状態のインクカートリッジホルダーの説明図である。図１に示すように、本例のプリンター（インクジェット記録装置）１は、ロール紙２から繰り出される長尺状の記録紙３に印刷を行うロール紙プリンターである。プリンター１は印刷ヘッド４としてインクジェットヘッドを搭載する。
【００１８】
プリンター１は直方体形状の筐体５を備える。筐体５の前面５ａには排紙口６が設けられている。筐体５の前面５ａにおける排紙口６の下方には、インクカートリッジ装着口（開口部）８が設けられている。カートリッジ装着口８は蓋体９によって前方から塞がれている。以下では、互いに直交する３方向をプリンター１の前後方向Ｘ、幅方向Ｙ、および上下方向Ｚとする。前後方向Ｘにおける前方Ｘ１は排紙口６が設けられている側であり、後方Ｘ２は、排紙口６が設けられている側とは反対側である。
【００１９】
筐体５の内部における排紙口６の後側には印刷ヘッド４が配置されている。筐体５の内部の後側部分にはロール紙２を収納するロール紙収容部１１が設けられている。ロール紙は、その中心軸を幅方向Ｙに向けた状態でロール紙収容部１１に投入される。また、筐体５の内部には、ロール紙収容部１１から印刷ヘッド４による印刷位置Ａを経由して排紙口６に至る搬送経路１２が設けられている。印刷位置Ａは印刷ヘッド４のインクノズル面と対峙する位置に配置されたプラテン１３により規定されている。
【００２０】
また、プリンター１は、搬送経路１２に沿って記録紙３を搬送する搬送機構１５を備える。搬送機構１５は、搬送ローラー対１６と、搬送ローラー対１６の駆動源となる搬送モーター１７を備える。搬送ローラー対１６は搬送経路１２におけるプラテン１３とロール紙収容部１１の間に位置する。
【００２１】
筐体５の内部の前側部分であって搬送経路１２の下方にはインクカートリッジホルダー２０が設けられている。インクカートリッジホルダー２０には印刷ヘッド４に供給するインクを貯留するインクカートリッジ２１が着脱可能に収容される。
【００２２】
図２に示すように、インクカートリッジホルダー２０はインクカートリッジ２１を着脱可能に収容する収容部２２を備える。カートリッジ装着口８は収容部２２の開口部である。本例では、カートリッジ装着口８を介して４本のインクカートリッジ２１が収容部２２に収容される。図３に示すように、各インクカートリッジ２１は直方体形状であり、長手方向を前後方向Ｘに向けた姿勢で、収容部２２に収容される。インクカートリッジ２１を前後方向Ｘから見た形状は、上下方向Ｚが長く、幅方向Ｙが短い扁平な長方形である。
【００２３】
各インクカートリッジ２１は、直方体形状のケース３１と、ケース３１に収容されたインクパック３２とを備える。ケース３１は前後方向Ｘに長い直方体形状である。ケース３１の背板部分３１ａには開口部３３が設けられている。インクパック３２は、幅方向Ｙから見た場合に前後方向Ｘに長い長方形の収容袋３５と、収容袋３５の後端縁に取り付けられた供給部３６を備える。各インクカートリッジ２１のインクパック３２には、それぞれ色彩の異なるインクが貯留されている。インクパック３２は供給部３６がケース３１の開口部３３に保持された状態でケース３１内に収容される。
【００２４】
図２に示すように、収容部２２は、後側の壁面を規定する背板２５と、天井面を規定する天井板２６と、底面を規定する底板２７を備える。背板２５は長方形形状であり、幅方向Ｙおよび上下方向Ｚに延びる。天井板２６は背板２５の上端部分から背板２５と同一の幅で前方Ｘ１に延びる。天井板２６の前後方向Ｘの長さ寸法は、収容部２２に収容されるインクカートリッジ２１の前後方向Ｘの長さ寸法よりも長い。底板２７は背板２５の下端部分から背板２５と同一の幅で前方Ｘ１に向かって延びる。底板２７の前後方向Ｘの長さ寸法は、収容部２２に収容されるインクカートリッジ２１の前後方向Ｘの長さ寸法よりも短い。また、収容部２２は、背板２５、天井板２６および底板２７の幅方向Ｙの一方側の端を接続して収容部２２は幅方向Ｙの一方側の壁面を規定する第１側板２８を備える。さらに、収容部２２は、背板２５、天井板２６および底板２７の幅方向Ｙの他方側の端を接続して収容部２２は幅方向Ｙの他方側の壁面を規定する第２側板２９（図５参照）を備える。
【００２５】
背板２５には４本のインク導入針３０ａが設けられている。４本のインク導入針３０ａは幅方向Ｙに等間隔で配列されている。インク導入針３０ａは印刷ヘッド４に連通するインク流路３０の上流端である。各インク導入針３０ａは背板２５から前方Ｘ１に突出する。
【００２６】
また、インクカートリッジホルダー２０は、カートリッジ装着口８を開閉する蓋体９を備える。蓋体９は、幅方向Ｙに延びる回転軸Ｌ回りに回転可能である。図２に示すように、蓋体９は、上下方向Ｚに起立した姿勢でカートリッジ装着口８を塞ぐ閉位置９Ａと、図４に示すように、前後方向Ｘに平伏した姿勢でカートリッジ装着口８を解放状態とする開位置９Ｂとの間で回転する。
【００２７】
収容部２２にインクカートリッジ２１を挿入する際には、図４に示すように、閉位置９Ａに配置された蓋体９を、前方Ｘ１に向かって下方に回転させて開位置９Ｂに配置する。次に、カートリッジ装着口８を介して前方Ｘ１からインクカートリッジ２１を収容部２２に挿入する。前後方向Ｘを前方Ｘ１から後方Ｘ２に向かう方向がインクカートリッジ２１の挿入方向Ｉである。プリンター１を水平な設置面に載置したときに、挿入方向Ｉは水平方向である。その後、インクカートリッジ２１の全体を収容部２２に収容し、しかる後に、蓋体９を閉位置９Ａに戻す。
【００２８】
ここで、インクカートリッジ２１が収容部２２に収容されると、図２に示すように、ケース３１の開口部３３を介してインクパック３２の供給部３６にインク導入針３０ａを挿入された状態となる。これにより、インクカートリッジ２１と印刷ヘッド４とがインク流路３０を介して連通するので、インクカートリッジ２１内のインクが印刷ヘッド４に供給可能となる。
【００２９】
図１に示すように、インクカートリッジ２１がプリンター１にセットされた状態で外部の機器からプリンター１に印刷データが供給されると、プリンター１は搬送モーター１７を駆動して記録紙３を搬送経路１２に沿って搬送する。また、プリンター１は印刷ヘッド４を駆動して、印刷位置Ａを通過する記録紙３に印刷データを印刷する。印刷が施された記録紙３の記録紙部分は排紙口６から排出される。
【００３０】
（蓋体）
次に、図２、図４、図５、および図６を参照して、蓋体９を詳細に説明する。図５は収容部２２に収容された４本のインクカートリッジ２１の前端部分と蓋体９とを後方Ｘ２の上方から見た場合の斜視図である。図６はインクカートリッジ２１が収容部２２内を前方Ｘ１（挿入方向Ｉの後方）に移動して突起５１に衝突した状態の説明図である。
【００３１】
図２および図５に示すように、蓋体９は、閉位置９Ａにおいて上下方向Ｚおよび幅方向Ｙに延びてカートリッジ装着口８を塞ぐ蓋板４１と、蓋板４１の幅方向Ｙの両端縁から後方に突出する一対の突出板部４２とを備える。各突出板部４２は後方Ｘ２に向かって先細りとなる三角形形状をしている。各突出板部４２の後端部分（三角形形状の頂点部分）には支軸４３が設けられている。一対の突出板部４２のそれぞれに設けられた２つの支軸４３は、幅方向Ｙを互いに接近する方向に向かって同軸に延びる。また、２つの支軸４３は、収容部２２の幅方向Ｙの両側に位置する第１側板２８および第２側板２９にそれぞれ設けられた支持孔４５に回転可能に挿入される。これにより、蓋体９は支軸４３の軸線Ｌ回りに回転可能である。支軸４３の軸線Ｌは蓋体９の回転軸Ｌである。
【００３２】
蓋体９の回転軸Ｌは、前後方向Ｘでカートリッジ装着口８よりも後方Ｘ２に位置する。また、蓋体９の回転軸Ｌは幅方向Ｙに延びる。換言すれば、蓋体９の回転軸Ｌは、挿入方向Ｉにおけるカートリッジ装着口８よりも前方で挿入方向Ｉと直交する方向に延びる。また、回転軸Ｌは、カートリッジ装着口８の上下方向Ｚの中心位置よりも下方に位置する。
【００３３】
蓋体９を閉位置９Ａから開位置９Ｂに移動させる際には、蓋板４１の上端が前方Ｘ１に向かって下側に移動する円弧の軌跡を描くように蓋体９を開方向Ｏに回転させる。蓋体９が開位置９Ｂに配置されると、図４に示すように、蓋板４１は前後方向Ｘおよび幅方向Ｙに延びる。また、蓋板４１は収容部２２よりも下方に位置する。一方、蓋体９を開位置９Ｂから閉位置９Ａに移動させる際には、蓋板４１の前端が上方に向かって後方Ｘ２に移動する円弧の軌跡を描くように蓋体９を閉方向Ｃに回転させる。
【００３４】
ここで、蓋板４１は、図２および図５に示すように、蓋体９を閉位置９Ａに配置したときに収容部２２の側を向く壁面に４つの突起５１を備える。４つの突起５１は、４つのインクカートリッジ２１が収容部２２に収容されたときに、それぞれ各インクカートリッジ２１と前後方向Ｘで対向する。また、各突起５１は回転軸Ｌよりも下方に位置する。すなわち、各突起５１は、回転軸Ｌの軸線から前方Ｘ１（挿入方向Ｉの後方）に延びる仮想面Ｓに対して、閉方向Ｃの後方に位置する。４つの突起５１は、蓋体９が閉位置９Ａにあるときに同じ高さにある。
【００３５】
なお、図４に示すように、蓋体９が開位置９Ｂにあるときに、突起５１は、前後方向Ｘから見た場合に、カートリッジ装着口８とは重ならない位置に配置される。本例では、蓋体９が開位置９Ｂに配置されたときに、突起５１はカートリッジ装着口８よりも下方に位置する。
【００３６】
ここで、図６に示すように、インクカートリッジホルダー２０の収容部２２にインクカートリッジ２１を収容した状態でプリンター１を輸送しているときに振動や衝撃が加わると、稀に、インクカートリッジ２１が収容部２２内を挿入方向Ｉとは反対の方向Ｊ（前方Ｘ１）に移動して、閉位置９Ａにある蓋体９に衝突することがある。例えば、収容部２２がインクカートリッジ２１を係止するロック機構を備えている場合でも、衝撃によってロック機構による係止が解除されて、インクカートリッジ２１が収容部２２内を前方Ｘ１に移動して、蓋体９に衝突することがある。
【００３７】
このような場合に、インクカートリッジ２１との衝突によって蓋体９が開位置９Ｂに移動すると、インクカートリッジ２１はインクカートリッジホルダー２０から外に飛び出してしまうという問題がある。
【００３８】
かかる問題に対して、本例では、インクカートリッジ２１が収容部２２を前方Ｘ１（挿入方向Ｉとは反対の方向Ｊ）に移動すると、インクカートリッジ２１は蓋体９の突起５１に衝突する。
【００３９】
ここで、インクカートリッジ２１が突起５１に衝突すると、蓋体９には、その回転軸Ｌ回りを開位置９Ｂから閉位置９Ａに向かう閉方向ＣのモーメントＭが働く。従って、インクカートリッジ２１が蓋体９（突起５１）に衝突したときに、蓋体９が開位置９Ｂに移動して、カートリッジ装着口８が解放状態となることを防止できる。また、本例では、蓋体９には４つの突起５１が設けられており、各突起５１は、蓋体９が閉位置９Ａにあるときに各インクカートリッジ２１と対応する。従って、４つのインクカートリッジ２１のうちの一つのインクカートリッジ２１が挿入方向Ｉとは反対の方向Ｊに移動して一つの突起５１に衝突した場合でも、蓋体９には閉方向ＣのモーメントＭが働く。従って、複数のインクカートリッジ２１のうちの一つのインクカートリッジ２１が蓋体９に衝突した場合でも、蓋体９が開位置９Ｂに移動して、カートリッジ装着口８が解放状態となることを防止できる。
【００４０】
また、本例では、蓋体９が開位置９Ｂに配置されたときに、蓋体９の突起５１はカートリッジ装着口８と重ならない位置にある。従って、収容部２２に対してインクカートリッジ２１を着脱する際に、突起５１とインクカートリッジ２１とが干渉することを防止できる。
【００４１】
（その他の実施の形態）
上記の例では、蓋体９に４つの突起５１を設けているが、４つの突起５１を一体とした一つの突起５１を設けてもよい。すなわち、蓋板４１に、４つの突起５１を幅方向Ｙに連続させた突条を設けてもよい。
【００４２】
なお、上記の例では、インクカートリッジホルダー２０に４本のインクカートリッジ２１が収容されるが、インクカートリッジホルダー２０に収容されるインクカートリッジ２１の本数はこれに限られるものではなく、１本でもよい。また、蓋体９に設ける突起５１は、収容部２２に収容されるインクカートリッジ２１の本数に対応する数とすればよい。
【００４３】
なお、蓋体９は、幅方向Ｙに回転してカートリッジ装着口８を開閉するものとしてもよい。すなわち、蓋体９は、その回転軸Ｌが上下方向Ｚに延びるようにしてカートリッジホルダーに取り付けられていてもよい。この場合にも、蓋体９の回転軸Ｌは、カートリッジ装着口８を介して収容部２２に挿入されるインクカートリッジ２１の挿入方向Ｉでカートリッジ装着口８よりも前方に位置するものとする。また、突起５１は、回転軸Ｌの軸線Ｌから挿入方向Ｉを後方に延びる仮想面Ｓに対して蓋体９を閉じる閉方向Ｃの後方に設けるものとする。このようにしても、インクカートリッジ２１が突起５１に衝突すると、蓋体９には、その回転軸回りを開位置から閉位置に向かう閉方向のモーメントが働く。従って、インクカートリッジ２１が蓋体９（突起５１）に衝突したときに、蓋体９が開位置９Ｂに移動してカートリッジ装着口８が解放状態となることを防止できる。
【符号の説明】
【００４４】
１…プリンター（インクジェット記録装置）、２…ロール紙、３…記録紙、４…印刷ヘッド（インクジェットヘッド）、５…筐体、６…排紙口、８…カートリッジ装着口（開口部）、９…蓋体、９Ａ…蓋体の閉位置、９Ｂ…蓋体の開位置、１１…ロール紙収容部、１２…搬送経路、１３…プラテン、１５…搬送機構、１６…搬送ローラー対、１７…搬送モーター、２０…インクカートリッジホルダー、２１…インクカートリッジ、２２…収容部、２５…背板、２６…天井板、２７…底板、２８…第１側板、２９…第２側板、３０…インク流路、３０ａ…インク導入針、３１…ケース、３１ａ…背板部分、３２…インクパック、３３…開口部、３５…収容袋、３６…供給部、４１…蓋板、４２…突出板部、４３…支軸、４５…支持孔、５１…突起、Ａ…印刷位置、Ｃ…閉方向、Ｉ…挿入方向、Ｌ…回転軸、Ｍ…モーメント、Ｏ…開方向、Ｓ…仮想面、Ｘ…前後方向、Ｘ１…前方、Ｘ２…後方、Ｙ…幅方向、Ｚ…上下方向。
【図１】
2017196827.tif 000003
【図２】
2017196827.tif 000004
【図３】
2017196827.tif 000005
【図４】
2017196827.tif 000006
【図５】
2017196827.tif 000007
【図６】
2017196827.tif 000008